(57)【要約】【課題】被検査物を斜め方向から照明できる線状斜め照明装置の提供。【解決手段】線状斜め照明装置１は、複数のＬＥＤ５１が線状に配置された線状光源５と、複数のＬＥＤ５１の各々から発した光を平行にするためのボールレンズ８１と、ボールレンズ８１から出射された光を斜めにするためのリニアプリズム９とを備え、リニアプリズム９から出射された光は、被検査物に対して斜めに照射される。ボールレンズ８１とリニアプリズム９との間にはレンズストッパ７８が配置され、ボールレンズ８１から出射された光のうち、光軸Ｃに対して傾く斜めの光がリニアプリズム９へ入射するのを規制する。【選択図】図４
2014089090.tif 000002
【特許請求の範囲】
【請求項１】
複数のＬＥＤが線状に配置された線状光源と、
前記複数のＬＥＤの各々から発した光を、前記複数のＬＥＤの光軸と平行にするための第１光路変更手段と、
前記第１光路変更手段から出射された光を、前記光軸に対して同一方向へ傾く斜めの光にするための第２光路変更手段と、
前記第１光路変更手段と前記第２光路変更手段の間に配置され、前記第１光路変更手段から出射された光のうち、前記光軸に対して傾く斜めの光が前記第２光路変更手段に入射するのを規制する規制手段とを、備え、
前記第２光路変更手段から出射された光は、被検査物に対して斜めに照射されることを特徴とする線状斜め照明装置。
【請求項２】
前記複数のＬＥＤの各々に対応して複数の導光路が形成された導光部材を更に備え、
前記第１光路変更手段は前記複数の導光路の一端側に配置され、前記第２光路変更手段は前記複数の導光路の他端側に配置され、
前記複数の導光路を規定する周面には、前記第１光路変更手段から出射された光のうち、前記周面に入射した光が前記第２光路変更手段へ向けて反射されるのを阻止するための規制処理が施され、
前記規制処理が施された前記周面が前記規制手段として機能することを特徴とする請求項１に記載の線状斜め照明装置。
【請求項３】
前記複数の導光路の各々を規定する前記周面には、前記規制処理として、黒色による光吸収処理及び周方向に延びる複数の遮光線を形成する遮光線形成処理のうち、少なくとも何れか１の処理が施されていることを特徴とする請求項２に記載の線状斜め照明装置。
【請求項４】
前記導光部材は導光本体と複数の円筒部材とを備え、
前記導光本体には、前記複数のＬＥＤの各々に対応して複数の貫通孔が形成され、
前記複数の円筒部材の内部空間が前記複数の導光路として機能し、
前記複数の貫通孔の各々に、前記第１光路変更手段と前記円筒部材とが収容されていることを特徴とする請求項２又は３に記載の線状斜め照明装置。
【請求項５】
前記第１光路変更手段は、ボールレンズ、両凸レンズ、一対の平凸レンズの何れかによって構成されることを特徴とする請求項１〜４の何れかに記載の線状斜め照明装置。
【請求項６】
前記第２光路変更手段は、第１プリズム面と第２プリズム面とを有する線状プリズムが複数形成されたリニアプリズムから構成され、前記線状プリズムは、前記第１プリズム面及び前記第２プリズム面を斜辺及び隣辺とする断面直角三角形状を有することを特徴とする請求項１〜５の何れかに記載の線状斜め照明装置。
【発明の詳細な説明】
【技術分野】
【０００１】
本発明は、例えば画像処理検査等において被検査物を斜め方向から照明する線状斜め照明装置に関する。
【背景技術】
【０００２】
従来より、液晶パネルや半導体等の工業製品の品質、例えば、ハンダ付けの不良や異物の付着等、あるいは飲料用缶に印字される製造日等の印字等を製造ライン上で検査する際に、ＣＣＤカメラ等による撮像を利用した画像処理検査が行われている。この画像処理検査においては、照明領域に配置された被検査物を照明するため、種々の形態の照明装置が用いられており、その一種の形態として線状照明装置がある。
【０００３】
例えば、特許文献１に記載の線状照明装置は、被検査物の幅方向に並設された複数のＬＥＤと、ＬＥＤの並設方向に延びるように設けられた集光レンズとを備え、各ＬＥＤからの光が集光レンズを通過して被検査物の表面に一直線状に集光するように構成されている。
【０００４】
また、被検査物に対して斜めから光を照射する照明装置も提案されている。例えば、特許文献２に記載の照明装置は先端が被検査物に対して斜めの傾斜角度となるように維持された複数の光ケーブルを備え、光ケーブルの先端から出射された光は被検査物を斜めの方向から照明する。
【先行技術文献】
【特許文献】
【０００５】
【特許文献１】特開２００７−２２５５９１号公報
【特許文献２】特開平１１−１６００２６号公報
【発明の概要】
【発明が解決しようとする課題】
【０００６】
ところで、従来よりフィルム状或いはシート状の種々の商品が提供されているが、フィルム状或いはシート状の製品における皺の発生は商品としての品質を下げることから、製造ライン上で皺の有無を検査する必要がある。
【０００７】
しかしながら、上述した特許文献１に開示の線状照明装置を用いた場合、被検査物に対して略垂直方向から光が照射されるために、被検査物における皺を良好に検出することができなかった。そこで、特許文献２の技術を線状照明装置に応用して、被検査物を斜めから照明して皺の検出を行うことも考えられるが、複数の光ケーブルの先端を精密に同じ方向に傾けることは困難であった。
【０００８】
本発明の目的は、被検査物を斜め方向から照明できる線状斜め照明装置を提供することである。
【課題を解決するための手段】
【０００９】
本発明の線状斜め照明装置は、複数のＬＥＤが線状に配置された線状光源と、前記複数のＬＥＤの各々から発した光を、前記複数のＬＥＤの光軸と平行にするための第１光路変更手段と、前記第１光路変更手段から出射された光を、前記光軸に対して同一方向へ傾く斜めの光にするための第２光路変更手段と、前記第１光路変更手段と前記第２光路変更手段の間に配置され、前記第１光路変更手段から出射された光のうち、前記光軸に対して傾く斜めの光が前記第２光路変更手段に入射するのを規制する規制手段とを、備え、前記第２光路変更手段から出射された光は、被検査物に対して斜めに照射されることを特徴とする。
【００１０】
また、本発明の線状斜め照明装置は、前記複数のＬＥＤの各々に対応して複数の導光路が形成された導光部材を更に備え、前記第１光路変更手段は前記複数の導光路の一端側に配置され、前記第２光路変更手段は前記複数の導光路の他端側に配置され、前記複数の導光路を規定する周面には、前記第１光路変更手段から出射された光のうち前記周面に入射した光が前記第２光路変更手段へ向けて反射されるのを阻止するための規制処理が施され、前記規制処理が施された前記周面が前記規制手段として機能することを特徴とする。
【００１１】
また、本発明の線状斜め照明装置は、前記複数の導光路の各々を規定する前記周面には、前記規制処理として、黒色による光吸収処理及び周方向に延びる複数の遮光線を形成する遮光線形成処理のうち、少なくとも何れか１の処理が施されていることを特徴とする。
【００１２】
また、本発明の線状斜め照明装置は、前記導光部材は導光本体と複数の円筒部材とを備え、前記導光本体には、前記複数のＬＥＤの各々に対応して複数の貫通孔が形成され、前記複数の円筒部材の内部空間は前記複数の導光路として機能し、前記複数の貫通孔の各々に、前記第１光路変更手段と前記円筒部材とが収容されていることを特徴とする。
【００１３】
また、本発明の線状斜め照明装置は、前記第１光路変更手段は、ボールレンズ、両凸レンズ、一対の平凸レンズの何れかによって構成されることを特徴とする。
【００１４】
また、本発明の線状斜め照明装置は、前記第２光路変更手段は、第１プリズム面と第２プリズム面とを有する線状プリズムが複数形成されたリニアプリズムから構成され、前記線状プリズムは、前記第１プリズム面及び前記第２プリズム面を斜辺及び隣辺とする断面直角三角形状を有することを特徴とする。
【発明の効果】
【００１５】
本発明の線状斜め照明装置によれば、被検査物に対して光を斜めに照射するので、例えば被検査物に皺が有る場合には、皺の影を生じさせることができ、皺の検出を容易にできる。また、第１光路変更手段から出射された光のうち、光軸に対して傾く斜めの光が第２光路変更手段に入射するのが規制されるため、第２光路変更手段から出射される光の方向のばらつきを抑えることができる。
【００１６】
また、本発明の線状斜め照明装置によれば、第１光路変更手段は複数の導光路の一端側に配置され、第２光路変更手段は複数の導光路の他端側に配置されているため、第１光路変更手段から出射された光のうち、光軸に対して平行な光は導光路を通過して第２光路変更手段に入射するが、第１光路変更手段から出射された光のうち、光軸に対して傾く斜めの光は導光路の周面に入射する。そして、複数の導光路の周面には規制処理が施されていることから、当該内周面に入射した光が第２光路変更手段へ向けて反射することが防止され、これにより第２光路変更手段への入射が阻止される。
【００１７】
また、本発明の線状斜め照明装置によれば、前記規制処理として、黒色による光吸収処理及び遮光線形成処理のうち、少なくとも何れか１の処理が施されている。黒色による光吸収処理を施すことにより、導光路の周面に入射した光は当該周面の黒色により吸収され、第２光路変更手段へ向けた反射が防止される。また、遮光線形成処理を施すことにより、導光路の周面に入射した光は導光路の周面に形成された遮光線によって第２光路変更手段とは反対の方向へ反射され、第２光路変更手段への入射が阻止される。
【００１８】
また、本発明の線状斜め照明装置によれば、複数のＬＥＤの各々に対応して形成された貫通孔内に、第１光路変更手段と導光路を規定する円筒部材とが収容されるので、ＬＥＤ、第１光路変更手段、及び導光路の相対配置を容易にできる。
【００１９】
また、本発明の線状斜め照明装置によれば、第１光路変更手段は、ボールレンズ、両凸レンズ、一対の平凸レンズの何れかによって構成されるので、簡単な構成でもってＬＥＤからの光を平行にできる。
【００２０】
また、第２光路変更手段は、断面直角三角形状を有する線状プリズムが形成されたリニアプリズムから構成されているため、例えば複数の光ケーブルを用いた場合と比較して、簡単な構成でもって、光を一定の方向へ正確に出射することができる。
【図面の簡単な説明】
【００２１】
【図１】本発明の第１実施形態に係る線状斜め照明装置の斜視図。
【図２】図１に示す線状斜め照明装置の側面図。
【図３】図１に示す線状斜め照明装置が備える導光部材を示す部分斜視図。
【図４】図２のＩＶ―ＩＶ線断面部分図。
【図５】本発明の第１実施形態の変形例に係る線状斜め照明装置を示す断面部分図。
【図６】本発明の第２実施形態に係る線状斜め照明装置の断面部分図。
【図７】本発明の第３実施形態に係る線状斜め照明装置の断面部分図。
【図８】図７に示す線状斜め照明装置が備えるレンズホルダを示す斜視図。
【発明を実施するための最良の形態】
【００２２】
[第１実施形態]
以下、添付図面を参照して、本発明に従う線状斜め照明装置の第１実施形態について説明する。
【００２３】
図１〜図４を参照して、図示の線状斜め照明装置１は、枠部材３と、線状光源５と、導光部材７と、リニアプリズム９と、一対の保持部材１０とを備える。
【００２４】
枠部材３は、上面に線状光源５を搭載するための光源取付部３１と、光源取付部３１の下面から下方に延びる複数の放熱フィン３２と、光源取付部３１の両側縁から上方に起立して導光部材７を支持するための一対の支持部３３，３５とを備え、これら光源取付部３１、複数の放熱フィン３２、及び一対の支持部３３，３５はアルミ材で一体的に形成されている。一対の支持部３３，３５はそれぞれ略逆Ｌ字型を有し、各支持部３３，３５の互いに対向する面（内面）には、支持部３３，３５を長さ方向（図２の紙面に対して垂直な方向）に貫通すると共に左右方向（図２における左右方向）に互いに対向する係止部としての溝３３ａ，３５ａが形成されている。
【００２５】
線状光源５は、高輝度型の複数のＬＥＤ５１を所定間隔毎に長板状のプリント配線基板５３の上面に直線状に一列に並べて実装することにより構成されている。これら複数のＬＥＤ５１の光軸Ｃはプリント配線基板５３に対して垂直且つ互いに平行とされ、各ＬＥＤ５１からの光はその光軸Ｃを中心に立体角状に広がった配光をなし、光軸Ｃを中心とした所定範囲の立体角内にその大部分が放射される。プリント配線基板５３は枠部材３と実質同一の長さを有し、枠部材３の光源取付部３１の上面に複数のネジ５５により固定されている。線状光源５から延びる配線（図示せず）は、枠部材３の支持部３５の一端部に形成された切欠き部３５ｂを介して外側へ引き出される。
【００２６】
導光部材７は枠部材３と実質同一の長さを有し、線状光源５の上方に位置するように枠部材３により支持される。より具体的に、導光部材７には、その両側面における上下方向略中間位置から外側に突出する被係止部としての一対の突片７ａ，７ｂが、導光部材７の長さ全体に亘って形成されている。これら一対の突片７ａ，７ｂが枠部材３の支持部３３，３５に形成された溝３３ａ，３５ａにスライド挿入されて係止されることで、導光部材７が支持部３３，３５により支持される。導光部材７の下端は複数のＬＥＤ５１に対して接触することなく上下方向に対向する。
【００２７】
また、導光部材７には複数のＬＥＤ３５に対応して複数の導光路７１が縦方向に設けられ、各導光路７１の下方（一端側）には第１光路変更手段としてのボールレンズ８１が設けられている。より具体的に、導光部材７は、導光本体７０を有し、この導光本体７０には、複数のＬＥＤ３５に１対１で対応する複数の貫通孔７２が形成されている。各貫通孔７２は導光本体７０を上下方向に貫通し、その中心線は対応するＬＥＤ５１の光軸Ｃと一致する。また、各貫通孔７２の下端部には径方向内側に突出すると共に中心に開口部７４ａを有するリング状の周縁突部７４が形成され、周縁突部７４の上面は内方に向かって下り傾斜する傾斜面とされている。
【００２８】
ボールレンズ８１は、その下端部が開口部７４ａを介して対応するＬＥＤ５１と対向するように、周縁突部７４の上面に配置されている。ここで、ＬＥＤ５１とボールレンズ８１の位置関係は、ボールレンズ８１の光軸がＬＥＤ５１の光軸Ｃと一致すると共に、ＬＥＤ５１がボールレンズ８１の焦点に位置するように規定されている。また、貫通孔７２の内側であって、ボールレンズ８１の上方にはレンズホルダ７８が収容されている。レンズホルダ７８は貫通孔７２の内径よりも僅かに小さい外径を有する円筒部材であって、例えばアルミから構成されている。レンズホルダ７８の内径はボールレンズ８１の外径よりも僅かに小さく、その下端がボールレンズ８１に当接している。これらボールレンズ８１及びレンズホルダ７８は、貫通孔７２の上部開口から順に収容される。
【００２９】
また、導光本体７０には、複数の貫通孔７２に対応して複数のネジ孔７０ａが形成されており、このネジ孔７０ａに螺入された止めネジ７０ｂの先端がレンズホルダ７８を押圧することで、レンズホルダ７８が図４に示す所定位置に固定されて維持される。これにより、レンズホルダ７８の下端が当接するボールレンズ８１も図４に示す所定位置に維持され、貫通孔７２内におけるレンズホルダ７８及びボールレンズ８１のがたつきが防止される。  
【００３０】
レンズホルダ７８の内部空間は導光路７１として機能し、レンズホルダ７８の内周面即ち導光路７１を規定する周面には、規制処理として黒色による光吸収処理が施されている。この黒色による光吸収処理とは、レンズホルダ７８の内周面（導光路７１の周面）を黒色或いは黒色に近い色とすることで、レンズホルダ７８の内周面に入射した光を吸収させ、光の反射を阻止させるための処理を意味し、例えば黒アルマイト処理や黒色塗装処理等が含まれる。このようにレンズホルダ７８（より具体的にはレンズホルダ７８の内周面）が規制手段として機能する。この黒色による光吸収処理／規制手段の効果・役割については後述する。
【００３１】
リニアプリズム９（第２光路変更手段）は、導光部材７の上面７ｃと略同一の長さ及び幅を有し、幅方向に延びる複数の線状プリズム９１が長さ方向に整列して形成されて構成されている。このリニアプリズム９は、線状プリズム９１が形成されている面を上面とした向きで導光路７１を覆うように導光部材７の上面７ｃに配置されている。各線状プリズム９１は、その第１プリズム面９１ａ及び第２プリズム面９２ａを斜辺及び隣辺とする断面直角三角形状を有し、第２プリズム面９１ｂは光軸Ｃに実質的に平行とされている。
【００３２】
一対の保持部材１０は、リニアプリズム９を所定位置に維持するものであって、各保持部材１０は導光部材７と実質同一の長さを有し、上折返部１０ａ及び下折返部１０ｂを有する断面クランク形状に構成されている。これら保持部材１０は、上折返部１０ａ及び下折返部１０ｂの下面がリニアプリズム９及び枠部材３の支持部３３，３５の上面にそれぞれ当接した状態で、下折返部１０ｂが支持部３３，３５の上面に複数の固定ネジ１１により固定される。このように一対の保持部材１０が枠部材３に固定されることにより、リニアプリズム９は導光部材７に対して押圧されて固定される。
【００３３】
また、これら一対の保持部材１０は、一方の保持部材１０の上折返部１０ａと他方の保持部材１０の上折返部１０ａとが所定距離を開けて離隔し、この上折返部１０ａ，１０ａ間の距離が導光部材７に設けられた導光路７１の外径よりも大きくなるように構成されている。当該構成により、導光路７１の上端は保持部材１０の上折返部１０ａにより覆われることなく、リニアプリズム９を介して上方に表出する。
【００３４】
次に、図４を参照して、本実施形態の線状斜め照明装置１による照明について説明する。線状光源５の各ＬＥＤ５１が発光されると、ＬＥＤ５１から発する光のうち光軸Ｃを含む挟配光の光は対応するボールレンズ８１に入射する。ＬＥＤ５１は、対応するボールレンズ８１の焦点に位置するため、ボールレンズ８１に入射した光は光軸Ｃに対して略平行とされ、ボールレンズ８１から上方へ向けて出射される。また、ＬＥＤ５１から発する光のうち外側に向かう広配光の光は、導光部材７の下面や開口部７４ａを規定する周縁突部７４の内周面により遮られ、対応するボールレンズ８１及びこれに隣接するボールレンズ８１への入射が阻止される。
【００３５】
ボールレンズ８１から出射された光は、その大部分がレンズホルダ７８の導光路７１を通過してリニアプリズム９に入射し、残りはレンズホルダ７８により吸収され、リニアプリズム９への入射が阻止される。より具体的に、ＬＥＤ５１からの光は、ボールレンズ８１を通過することにより光軸Ｃに対して略平行な光に変換されるが、ＬＥＤ５１は所定の発光領域を有することから、ボールレンズ８１によって全ての光が光軸Ｃに対して平行になる訳ではなく、ボールレンズ８１から出射される光の中に、光軸Ｃに対して傾いた斜めの光も含まれてしまう。このように光軸Ｃに対して傾いた斜めの光は、レンズホルダ７８の内周面（導光路７１の周面）に入射し、レンズホルダ７８の黒色により吸収される。そのため、導光路７１の周面で反射されることなく、従ってリニアプリズム９への入射が阻止される。
【００３６】
このように、ボールレンズ８１から出射された光のうち、光軸Ｃに対して略平行な光は導光路７１を通過してリニアプリズム９に入射するが、光軸Ｃに対する角度が所定角度以上の斜めの光は、リニアプリズム９への入射が阻止されることになる。
【００３７】
そして、リニアプリズム９に入射した光は、線状プリズム９１により、その光路が光軸Ｃから斜めに傾く方向（図４における右上方向）に変更され、光軸Ｃに対して一定角度で一定の方向へ出射される。このようにリニアプリズム９から出射された斜めの光は、線状斜め照明装置１の上方に位置する照射面Ｓに配置された被検査物を照明する。照射面Ｓは光軸Ｃに対して実質垂直とされていることから、リニアプリズム９から出射された斜めの光は、照射面Ｓ上に配置された被検査物を一定の方向から斜めに照明することになる。その結果、被検査物に皺がある場合には影が生じ、この影をＣＣＤカメラ（図示せず）で撮像することで、被検査物における皺の有無を検知できる。
【００３８】
即ち、本実施形態における線状斜め照明装置１によれば、被検査物に対して斜めの方向から光を当てるので、皺の影を生じさせることができ、また被検査物に対して一定の方向から光を当てるので、複数の方向から光を当てた場合のように影が打ち消されてしまうこともない。
【００３９】
また、本実施形態における線状斜め照明装置１によれば、第２光路変更手段としてリニアプリズム９を用いることから、ボールレンズ８１から出射された平行な光を精度良く一定方向へ屈折させることができる。また、ボールレンズ８１から出射された光のうち、光軸Ｃに対して所定角度以上の斜めの光は、リニアプリズム９への入射が阻止され、光軸Ｃに対して略平行な光のみがリニアプリズム９に入射するため、リニアプリズム９から出射される光の方向のばらつきを抑制できる。
【００４０】
なお、本実施形態においては第１光路変更手段としてボールレンズ８１を用いたが、図５に示す様に、ボールレンズ８１に代えて両凸レンズ８２を用いてもよい。このような構成においても、ボールレンズ８１を用いた場合と同様の作用効果を得ることができる。
【００４１】
〔第２実施形態〕
次に、本発明に従う線状斜め照明装置の第２実施形態について説明する。本実施形態において、上述した第１実施形態に係る線状斜め照明装置１と実質同一の部材には同一の参照番号を付し、詳細な説明は省略する。
【００４２】
図６を参照して、図示の線状斜め照明装置１Ａは、第１光路変更手段として上向きの平凸レンズ８３及び下向きの平凸レンズ８５を備える。また、各貫通孔７２の下端部には、径方向内側に突出すると共に中心に開口部７４ａを有するリング状の周縁突部７４Ａが形成されている。周縁突部７４Ａの上面は水平方向に延びる平坦面とされ、ここに平凸レンズ８３が載置される。平凸レンズ８３と平凸レンズ８５との間にはスペーサ８６が介在し、両レンズ８３，８５間の距離を所定距離に維持している。スペーサ８６は、レンズホルダ７８と実質同一の外径を有する円筒形状とされている。また、平凸レンズ８３及び８５の外径は貫通孔７２の内径より僅かに大きく、且つ貫通孔７１の内径よりも大きく設定されている。
【００４３】
平凸レンズ８３、スペーサ８６、平凸レンズ８５、及びレンズホルダ７８は、貫通孔７２の内部へ上方から順次収容され、導光本体７０に形成されたネジ孔７０ａ（図３参照）に螺入された止めネジ７０ｂの先端がレンズホルダ７８を押圧することで、平凸レンズ８３、スペーサ８６、平凸レンズ８５、及びレンズホルダ７８が図６に示す所定位置に維持される。
【００４４】
このような構成においても、ＬＥＤ５１から発する光のうち、光軸Ｃを含む挟配光の光は対応する平凸レンズ８３に入射し、外側に向かう広配光の光は、導光部材７の下面や開口部７４ａを規定する周縁突部７４Ａの内周面により遮られ、対応する平凸レンズ８３及びこれに隣接する平凸レンズ８３への入射が阻止される。平凸レンズ８３に入射した光は、平凸レンズ８３及び８５によって光路を変更され、光軸Ｃに対して略平行な光はリニアプリズム９へ入射する一方、レンズホルダ７８の内周面に入射した斜めの光は黒色により吸収され、リニアプリズム９への入射が阻止される。よって、本実施形態における構成によっても、上述した線状斜め照明装置１と同様の効果が得られる。
【００４５】
〔第３実施形態〕
次に、本発明に従う線状斜め照明装置の第３実施形態について説明する。本実施形態において、上述した第１及び第２実施形態に係る線状斜め照明装置１及び１Ａと実質同一の部材には同一の参照番号を付し、詳細な説明は省略する。
【００４６】
図７及び図８を参照して、図示の線状斜め照明装置１Ｂは、上述した線状斜め照明装置１と略同一の構成を有するが、レンズホルダ７８Ｂの外周面下方部位には複数のねじ山が形成され、雄ねじ部７８ｂを構成している。また、導光本体７０に形成された貫通孔７２の内周面のうち、レンズホルダ７８Ｂの雄ねじ部７８ｂに対応する箇所には複数のねじ山が形成され、雌ねじ部７２ｂを構成している。
【００４７】
このような構成において、ボールレンズ８１が貫通孔７２に収容された状態においてレンズホルダ７８Ｂの雄ねじ部７８ｂを貫通孔７２の雌ねじ部７２ｂに螺合させることで、ボールレンズ８１及びレンズホルダ７８Ｂが貫通孔７２内部の所定位置に維持される。よって、本実施形態においては、個々のレンズホルダ７８Ｂを導光本体７０のネジ孔７０ａ（図３参照）に螺入された止めネジで固定する必要がなく、導光本体７０におけるネジ孔７０ａの形成も不要となり、ボールレンズ８１及びレンズホルダ７８Ｂの固定を容易にできる。
【００４８】
このような構成においても、上述した線状斜め照明装置１，１Ａと同様の効果が得られる。また、上述した第１実施形態と同様に、ボールレンズ８１に代えて図５に示す両凸レンズ８２を用いることもできる。
【００４９】
以上、本発明の実施形態に係る線状斜め照明装置について添付の図面を参照して説明したが、本発明はかかる実施形態に限定されず、本発明の範囲を逸脱することなく種々の変形乃至修正が可能である。
【００５０】
例えば、上述した第２実施形態においては、レンズストッパ７８を導光本体７０のネジ孔７０ａ（図３参照）に螺入された止めネジで固定することにより、レンズストッパ７８、平凸レンズ８３，８５、及びスペーサ８６を所定位置に維持する構成としたが、上述した第３実施形態と同様に、レンズストッパ７８の外周面及び貫通孔７２の内周面に雄ねじ部及び雌ねじ部をそれぞれ設け、レンズストッパ７８の雄ねじ部を貫通孔７２の雌ねじ部に螺合させることで、上述した止めネジを用いることなくレンズストッパ７８、平凸レンズ８３，８５、及びスペーサ８６を所定位置に維持する構成としても良い。
【００５１】
また、上述した各実施形態においては、導光路７１の周面に規制処理として黒色による光吸収処理を施したが、黒色による光吸収処理に代えて遮光線形成処理を施しても良い。この遮光線形成処理とは、導光路７１の周面に、周方向に延びる複数の遮光線（溝）を形成する処理をいう。このように遮光線が形成された導光路７１の周面に斜めの光が入射すると、遮光線を規定する傾斜面によって光がＬＥＤ５１方向に反射されるため、このような構成によってもリニアプリズム９への斜め方向の光の入射を阻止できる。或いは、規制処理として黒色による光吸収処理と遮光線形成処理とを併用してもよい。これによりリニアプリズム９への斜め方向の光の入射をより確実に阻止できる。
【００５２】
上述した各実施形態においては、導光路７１の周面にのみ黒色による光吸収処理を施したが、導光部材７の表面全てに黒色による光吸収処理を施してもよい。
【００５３】
また、上述した各記実施形態においては、導光部材７は、その突片７ａ，７ｂが枠部材３の溝３３ａ，３５ａにスライド挿入されることで枠部材３により支持される構成とされているが、本発明は係る構成に限定されず、第１光路変更手段とＬＥＤ５１とを所定の位置関係に維持できる構成であれば良く、例えば導光部材７の突片７ａ，７ｂが枠部材３の支持部３３，３５の上面に載置される構成等であっても構わない。
【００５４】
更に、上述した各実施形態においては、被検査物の皺の検出を例に説明したが、これはあくまでも一例であって、本発明に係る線状斜め照明装置は、皺の検出以外の目的で使用可能なことは言うまでもない。
【００５５】
また、比較的広い面積を有する被検査物を照明する場合等は、本発明に係る線状斜め照明装置を直列に複数配して用いることもできる。
【符号の説明】
【００５６】
１，１Ａ，１Ｂ  線状斜め照明装置
３  枠部材
５  線状光源
７  導光部材
９  リニアプリズム（第２光路変換手段）
１０  保持部材
５１  ＬＥＤ
７０  導光本体
７１  導光路
７２  貫通孔
７２ｂ  雌ねじ部
７８，７８Ｂ  レンズホルダ
７８ｂ  雄ねじ部
８１  ボールレンズ（第１光路変換手段）
８２  両凸レンズ（第１光路変換手段）
８３，８５  平凸レンズ（第１光路変換手段）
８６  スペーサ
【図１】
2014089090.tif 000003
【図２】
2014089090.tif 000004
【図３】
2014089090.tif 000005
【図４】
2014089090.tif 000006
【図５】
2014089090.tif 000007
【図６】
2014089090.tif 000008
【図７】
2014089090.tif 000009
【図８】
2014089090.tif 000010